(57)【要約】【課題】磁気センサの着磁体によって吸引付着した磁性体付着物を容易に取り除くことができる紙葉類識別装置用清掃具を提供する。【解決手段】紙葉類Ｗと同様に搬送路Ｒの投入口Ｒ１から清掃具１００を投入して搬送路Ｒに搬送させる。すると、搬送された清掃具１００が紙葉類検知センサ３の位置に至り、基部１０１の移動に伴って当接部材１０２が紙葉類検知センサ３における着磁体３１の着磁部位（搬送路Ｒの壁面）に接触する。このため、着磁体３１の着磁部位に吸引されている付着物Ｆを当接部材１０２によって払い取る。この結果、紙葉類識別装置のカバー（図示せず）などを開くことなく着磁体３１の着磁部位に吸引され付着した付着物Ｆを除去することができる。【選択図】        図４
2008003678.tif 000002
【特許請求の範囲】
【請求項１】
磁性体を有した紙葉類を搬送する搬送路と、
前記搬送路に設けてあって、紙葉類の磁性体に磁界を印加する着磁手段、および着磁手段の磁界の印加によって紙葉類の磁性体が帯びる残留磁気を検出する磁気検出手段からなる磁気センサと
を有する紙葉類識別装置に係り、前記磁気センサの着磁部位の清掃を行う紙葉類識別装置用清掃具であって、
搬送路に搬送可能に設けた基部と、
前記基部に設けてあって搬送路への基部の搬送に伴って磁気センサの着磁部位に接触する当接部材と
を備えたことを特徴とする紙葉類識別装置用清掃具。
【請求項２】
前記基部を磁石で構成したことを特徴とする請求項１に記載の紙葉類識別装置用清掃具。
【発明の詳細な説明】
【技術分野】
【０００１】
本発明は、着磁した紙葉類の残留磁気を検出して当該紙葉類の識別を行う紙葉類識別装置に対し、その着磁部分の清掃を行うための紙葉類識別装置用清掃具に関する。
【背景技術】
【０００２】
例えば、紙幣や有価証券や商品券や磁気カードなどの紙葉類の真贋を判定する場合には、磁性体を含有してなる印刷インクによって紙葉類に印刷された文字や図形や記号などの磁気印刷部を磁気的に検出した信号と、本物の紙葉類から予め検出した信号とを比較して真偽判定を行っている。
【０００３】
一般に、紙葉類の真贋判定を非接触で行う紙葉類識別装置の磁気センサは、紙葉類を搬送するための搬送路に設置してある。この磁気センサは、磁気検出素子として、外部磁界の変化によって抵抗値が変化する磁気抵抗素子、外部磁界の変化によってインピーダンスが変化する磁気インピーダンス素子、あるいは薄膜スラックスゲート素子などを有している。
【０００４】
このうち、磁気抵抗素子を用いた紙葉類識別装置の磁気センサは、磁気抵抗素子が、セラミック基板の表面に形成してある。基板の裏側には、磁石（着磁体）が設けてある。この磁石は、磁気抵抗素子の垂直方向に補助磁界を加えている。そして、磁石によって磁気抵抗素子に磁界を印加することにより、紙葉類の磁気印刷部の微弱な磁気を検出する（例えば、特許文献１参照）。
【０００５】
また、磁気インピーダンス素子を用いた紙葉類識別装置の磁気センサは、Ｅ字形の着磁体が、その開放された側の３箇所の端部を紙葉類の相対移動方向に垂直に並ぶように、かつ紙葉類の面に対して垂直に接触または近接するように配置してある。また、磁気インピーダンス素子が、紙葉類の磁気印刷部の面に平行な面内で、上記相対移動方向に垂直な方向に感磁方向が一致するように配置してある。さらに、磁気インピーダンス素子の近傍には、当該磁気インピーダンス素子にバイアス磁界を加えて磁気インピーダンス素子を感度の良い動作点に設定するためのバイアス磁石が設置してある。そして、紙葉類の磁気印刷部の検知時に、紙葉類の移動に伴って着磁体によって磁気印刷部を着磁して、その着磁した部分の残留磁界を磁気インピーダンス素子によって検出する（例えば、特許文献２参照）。
【０００６】
また、薄膜フラックスゲート素子を用いた紙葉類識別装置の磁気センサは、磁気インピーダンス素子を用いた紙葉類識別装置の場合と同構成によって磁気センサを構成することで、紙葉類の磁気印刷部を検出する。
【０００７】
【特許文献１】特開２００３−３５７０１号公報
【特許文献２】特開２０００−１０５８４７号公報
【発明の開示】
【発明が解決しようとする課題】
【０００８】
このように、磁気センサは、いずれの磁気検出素子を用いた場合でも磁石と磁気検出素子とで構成される。そして、紙葉類に印刷した磁気印刷部の印刷インクに含まれる磁性体の磁気量は、非常に微量である。このため、この磁性体の磁気を感度良く検出するには、磁石の磁力を大きくする必要がある。よって磁石には、体積効率の良い磁石が用いられる。例えば、特許文献１に参照する磁気センサでの磁石は１５０ガウス〜３００ガウス程度、特許文献２に参照する磁気センサでの磁石は１Ｋガウス程度の磁力を有する。
【０００９】
しかし、上述したように磁石を用いた磁気センサは、実際の使用環境下では、磁石の強力な磁力によって、空中に浮遊する砂鉄や鉄粉などの磁性体付着物や、紙葉類の面に付着している砂鉄や鉄粉などの磁性体付着物を吸引してしまう。磁石の磁極面に大量の磁性体付着物が吸引されて付着した場合、磁石の発生磁界が乱れて磁気センサでの誤検出を生じたり、搬送路が塞がれて紙葉類の搬送を阻害することで詰まりが発生したりすることになる。
【００１０】
そこで、一定の期間ごとに紙葉類識別装置の保守点検を行い、磁石の磁極面に吸引され付着した磁性体付着物を除去する清掃作業が必要になる。一般での清掃作業は、磁気センサを設けた識別部のカバーを開き、水または中性洗剤などを染み込ませた綿棒などで清掃を行う。ところが、磁石の磁極面に吸引された磁性体付着物は、磁石の強力な磁力によって常に吸引されているため、当該付着物を完全に除去するには多くの労力と時間が必要になる。
【００１１】
本発明は、上記実情に鑑みて、磁気センサの着磁体によって吸引付着した磁性体付着物を容易に取り除くことができる紙葉類識別装置用清掃具を提供することを目的とする。
【課題を解決するための手段】
【００１２】
上記目的を解決するために、本発明の請求項１に係る紙葉類識別装置用清掃具は、磁性体を有した紙葉類を搬送する搬送路と、前記搬送路に設けてあって、紙葉類の磁性体に磁界を印加する着磁手段、および着磁手段の磁界の印加によって紙葉類の磁性体が帯びる残留磁気を検出する磁気検出手段からなる磁気センサとを有する紙葉類識別装置に係り、前記磁気センサの着磁部位の清掃を行う紙葉類識別装置用清掃具であって、搬送路に搬送可能に設けた基部と、前記基部に設けてあって搬送路への基部の搬送に伴って磁気センサの着磁部位に接触する当接部材とを備えたことを特徴とする。
【００１３】
また、本発明の請求項２に係る紙葉類識別装置用清掃具は、上記請求項１において、前記基部を磁石で構成したことを特徴とする。
【発明の効果】
【００１４】
本発明の紙葉類識別装置用清掃具によれば、基部を搬送路に搬送させることで、当接部材が磁気センサの着磁部位に接触して、当該磁着部位に付着している付着物が除去される。この結果、紙葉類識別装置のカバーなどを開くことなく付着物を容易に取り除くことができる。
【発明を実施するための最良の形態】
【００１５】
以下に添付図面を参照して、本発明に係る紙葉類識別装置用清掃具の好適な実施の形態について詳細に説明する。
【００１６】
図１は本発明に係る紙葉類識別装置用清掃具が採用される紙葉類識別装置を模式的に示した概略図である。ここで例示する紙葉類識別装置１は、磁性体を含有してなる印刷インクによって紙葉類Ｗに印刷された文字や図形や記号（以下、適宜これらを単に「磁気印刷部」と称する）の磁気特性を検知し、かかる検知結果に基づいて紙葉類Ｗの真贋を判定するもので、紙葉類Ｗを搬送する搬送路Ｒの近傍に配設してある。この紙葉類識別装置１は、進入センサ２、紙葉類検知センサ（磁気センサ）３、進入検出部４、磁気検出部駆動部５、磁気検出回路６および信号処理回路７を備えている。
【００１７】
進入センサ２は、搬送路Ｒの上流側であって搬送路Ｒの一側壁（図１中での上側壁）に配設してある。この進入センサ２は、例えば反射型フォトインタラブタのような光センサなどであり、進入する紙葉類Ｗを非接触で検知するものである。
【００１８】
紙葉類検知センサ３は、搬送路Ｒにおける進入センサ２の下流側であって搬送路Ｒの一側壁（図１中での上側壁）に配設してある。この紙葉類検知センサ３は、着磁体（着磁手段）３１及び磁気検出部（磁気検出手段）３２を備えており、搬送路Ｒを搬送される紙葉類Ｗに印刷された磁気印刷部の磁気量を検知するものである。
【００１９】
紙葉類検知センサ３は、着磁体３１および磁気検出部３２がケース３３の内部に収納されて一体的に構成してある。着磁体３１は、例えば３つの四角柱状の永久磁石を、紙葉類Ｗの搬送方向Ｓに対して直交する方向に沿って所定の間隔で並列させて立設させることにより構成したものである。ここに、永久磁石としては、例えばサマリウム・コバルト磁石やネオジム磁石などの磁気特性に優れた希土類磁石が用いられており、紙葉類Ｗの磁性体が有する保磁力以上の磁界強度を有するものである。着磁体３１を構成する中央位置の永久磁石は、搬送路Ｒに向く検知側の磁極面がＳ極であり、その反対側がＮ極となる態様で立設してある。この中央位置の永久磁石の両側に配設された永久磁石は、ともに検知側の磁極面がＮ極であり、その反対側がＳ極となる態様で立設してある。これにより、着磁体３１は、両側の永久磁石の検知側であるＮ極から中央位置の永久磁石の検知側であるＳ極に向かう磁界を搬送路Ｒに通過する紙葉類Ｗの磁気印刷部に印加させる。
【００２０】
磁気検出部３２は、搬送路Ｒにおける着磁体３１の下流側に設けてある。この磁気検出部３２は、例えば磁気インピーダンス素子や薄膜フラックスゲート型磁気検出素子により構成してある。このような磁気検出部３２は、磁気検出部駆動部５から出力された指令信号に基づき通電状態となって駆動するものであり、着磁体３１による印加により紙葉類Ｗの磁性印刷部が帯びる残留磁気によって生ずる磁界を検出するものである。また、磁気検出部３２の周囲には、磁気シールド部材（図示せず）が設けてある。磁気シールド部材は、例えばパーマロイ、アモルファスなどから形成されるものであり、着磁体３１からの磁界波及を抑制するためのものである。
【００２１】
ケース３３は、着磁体３１および磁気検出部３２などを収容する筐体である。ケース３３は、磁界を透過し、かつ非磁性体である樹脂などの材料からなる。
【００２２】
進入検出部４は、進入センサ２に接続してあり、該進入センサ２が紙葉類Ｗの進入を検知して出力した信号に基づき、紙葉類Ｗの進入を検出するものである。
【００２３】
磁気検出部駆動部５は、進入検出部４および磁気検出部３２のそれぞれに接続してあり、進入検出部４が紙葉類Ｗの進入を検出して出力した信号に基づき、磁気検出部３２に駆動する旨の指令信号を出力するものである。
【００２４】
信号処理回路７は、磁気検出回路６を通じて磁気検出部３２に接続してあり、磁気検出部３２が磁界を検出して出力した検出信号に基づき、予め記憶してある基準値と比較して所定の許容範囲内にあるか否かを判定して紙葉類Ｗの真贋を判定するものである。
【００２５】
図２は上述した紙葉類識別装置１の搬送系を示す概略側断面図である。図２に示すように搬送路Ｒは、紙葉類識別装置１の前方に向けて開口する投入口Ｒ１を有している。紙葉類Ｗは、この投入口Ｒ１から投入される。また、搬送路Ｒは、投入口Ｒ１から後方に向かいつつ、そこから上方に搬送方向Ｓを向けた上流部Ｒ２を有している。さらに、搬送路Ｒは、上流部Ｒ２の上端から折り返して下方に搬送方向Ｓを向けた下流部Ｒ３を有している。そして、下流部Ｒ３の下端には、搬送路Ｒに搬送した紙葉類Ｗを収納するための収納庫Ｒ４が設けてある。このような搬送路Ｒにおいて、上流部Ｒ２と下流部Ｒ３との間の折り返し部と、収納庫Ｒ４手前の下流部Ｒ３の下端部とには、搬送手段を構成する搬送ローラＲ５，Ｒ６が設けてある。上流部Ｒ２と下流部Ｒ３との間の折り返し部に設けた搬送ローラＲ５は、上流部Ｒ２および下流部Ｒ３に外周面を表出してあり、この表出部分が搬送手段を構成する各従動ローラＲ７，Ｒ８に当接している。また、収納庫Ｒ４手前の下流部Ｒ３の下端部に設けた搬送ローラＲ６は、下流部Ｒ３に外周面を表出してあり、この表出部分が搬送手段を構成する従動ローラＲ９に当接している。搬送ローラＲ５，Ｒ６は、駆動モータなどの図示しない駆動源によって連動して回転駆動される。搬送ローラＲ５，Ｒ６が回転駆動されると、これに伴って従動ローラＲ７，Ｒ８，Ｒ９が従動する。
【００２６】
上記搬送系において、進入センサ２は、投入口Ｒ１から搬送ローラＲ５と従動ローラＲ７とが当接する部位までの間の上流部Ｒ２に設けてある。また、搬送系において、紙葉類検知センサ３は、搬送ローラＲ５と従動ローラＲ８とが当接する部位から搬送ローラＲ６と従動ローラＲ９とが当接する部位までの間の下流部Ｒ３に設けてある。
【００２７】
このような搬送系では、投入口Ｒ１から投入された紙葉類Ｗは、上流部Ｒ２において、正転（図２中反時計回り）方向に回転駆動された搬送ローラＲ５と、これに当接する従動ローラＲ７とで挟まれつつ搬送方向Ｓ（上方）に向けて搬送される。そして、紙葉類Ｗは、下流部Ｒ３の上端部において、図２中反時計回りに回転駆動された搬送ローラＲ５と、これに当接する従動ローラＲ８とに挟まれつつ搬送方向Ｓ（下方）に向けて搬送される。さらに。紙葉類Ｗは、下流部Ｒ３の下端部において、図２中反時計回りに回転駆動された搬送ローラＲ６と、これに当接する従動ローラＲ９とに挟まれつつ収納庫Ｒ４に搬送される。なお、搬送ローラＲ５，Ｒ６は、逆転（図２中時計回り）方向にも回転駆動される。例えば紙葉類Ｗが贋物であった場合など、搬送ローラＲ５，Ｒ６が逆転方向に回転駆動されて、投入口Ｒ１から搬出される。
【００２８】
上記紙葉類識別装置１は、次のようにして搬送される紙葉類Ｗの真贋を判定する。
【００２９】
搬送手段により搬送される紙葉類Ｗが搬送路Ｒの投入口Ｒ１から投入されると、進入センサ２が検知してその旨を信号として進入検出部４に出力され、進入したことが検出される。そして、進入検出部４から磁気検出部駆動部５に紙葉類Ｗが進入した旨の信号が出力されると、磁気検出部駆動部５から紙葉類検知センサ３の磁気検出部３２に駆動指令が出力され、磁気検出部３２が通電状態になって駆動する。さらに、搬送手段の搬送ローラＲ５，Ｒ６が正転方向に回転駆動する。
【００３０】
搬送路Ｒに進入した下流部Ｒ３に至り、紙葉類Ｗが着磁体３１の磁界が及ぶ領域に到達すると、紙葉類検知センサ３は、着磁体３１において両側の永久磁石のＮ極から中央位置の永久磁石のＳ極に向かう磁界をケース３３を透過して印加して、紙葉類Ｗの磁気印刷部を磁化させる。磁気印刷部が磁化された紙葉類Ｗは、そのまま搬送路Ｒを搬送される。
【００３１】
そして、通電状態となった磁気検出部３２が、磁性印刷部が帯びる残留磁気によって生ずる磁界を検出し、その検出結果を検出信号として磁気検出回路６を通じて信号処理回路７に出力し、その後通電状態が解除されて待機状態になる。信号処理回路７では、磁気検出部３２により出力された検出信号に基づき、予め記憶してある基準値と比較して所定の許容範囲内にあるか否かを判定して紙葉類Ｗの真贋を判定する。
【００３２】
このような紙葉類識別装置１においては、着磁体３１の磁力によって、搬送路Ｒ中に浮遊する砂鉄や鉄粉などの磁性体付着物（以下、適宜これらを単に「付着物」と称する）Ｆや、紙葉類Ｗに付着している付着物Ｆを吸引してしまう。着磁体３１によって吸引された付着物Ｆは、図４（ａ）に示すように着磁体３１の着磁部位である搬送路Ｒの壁面に付着することになる。
【００３３】
以下、上述した紙葉類識別装置１に採用される清掃具について説明する。図３は本発明に係る紙葉類識別装置用清掃具を示す概略図である。ここでの清掃具１００は、基部１０１と、当接部材１０２とを備えている。
【００３４】
基部１０１は、紙葉類Ｗと同様の大きさで、同様の厚さを有したシート状あるいは板状に形成してあり、搬送路Ｒに搬送可能に構成してある。基部１０１は、図２に示すように曲がりくねった搬送路Ｒに搬送できるため、可撓性を有するゴム・合成ゴム・合成樹脂などで形成してある。特に、基部１０１は、永久磁石であることが好ましい。
【００３５】
当接部材１０２は、基部１０１の外周面に設けてある。当接部材１０２は、ナイロン（Ｒ）などの合成樹脂材からなる繊維や、獣毛、あるいは不織布などからなる。この当接部材１０２は、基部１０１を搬送路Ｒに搬送した場合に、紙葉類検知センサ３における着磁体３１が搬送路Ｒに向く着磁部位（搬送路Ｒの壁面）に接触する。なお、当接部材１０２は、着磁体３１の着磁部位に適宜接触できるように弾性を有していることが好ましい。
【００３６】
このような清掃具１００は、紙葉類Ｗと同様に搬送路Ｒの投入口Ｒ１から投入して搬送路Ｒに搬送される。そして、図４（ａ）に示すように搬送された清掃具１００が紙葉類検知センサ３の位置に至る。すると、基部１０１の移動に伴って当接部材１０２が、紙葉類検知センサ３における着磁体３１の着磁部位（搬送路Ｒの壁面）に接触する。このため、図４（ｂ）に示すように着磁体３１の着磁部位に吸引されている付着物Ｆを当接部材１０２によって払い取る。この結果、紙葉類識別装置１のカバー（図示せず）などを開くことなく紙葉類検知センサ３における着磁体３１の着磁部位に吸引され付着した付着物Ｆを除去することが可能になる。よって、着磁体３１により印加された紙葉類Ｗの磁界が大きく変動してしまうことがなく、紙葉類Ｗの残留磁気を良好に検知することができる。
【００３７】
さらに、上述した清掃具１００では、基部１０１が永久磁石からなる。このため、図４（ｃ）に示すように当接部材１０２で払い取った付着物Ｆが基部１０１に吸引されて回収されることになる。この結果、当接部材１０２で払い取った付着物Ｆが再び着磁体３１の磁力によって吸引されて着磁体３１の着磁部位に付着する事態を防ぐことが可能になる。よって、着磁体３１により印加された紙葉類Ｗの磁界が大きく変動してしまうことがなく、紙葉類Ｗの残留磁気を良好に検知することができる。
【００３８】
また、清掃具１００は、搬送路Ｒや各ローラＲ５，Ｒ６，Ｒ７，Ｒ８，Ｒ９に付着した付着物Ｆ、および搬送路Ｒや各ローラＲ５，Ｒ６，Ｒ７，Ｒ８，Ｒ９に付着している非磁性体の付着物をも除去する。この結果、搬送路Ｒを通過した紙葉類Ｗを清潔に保つことができる。また、各ローラＲ５，Ｒ６，Ｒ７，Ｒ８，Ｒ９の付着物を除去することで、ローラ表面の汚れによる搬送力の低下によって紙葉類Ｗの詰まりが生じる事態、あるいはローラ表面の汚れによる搬送バランスの低下によって紙葉類Ｗが斜行して紙葉類Ｗの詰まりが生じる事態を防止することになり、信頼性の高い紙葉類識別装置を提供できる。
【図面の簡単な説明】
【００３９】
【図１】本発明に係る紙葉類識別装置用清掃具が採用される紙葉類識別装置を模式的に示した概略図である。
【図２】紙葉類識別装置の搬送系を示す概略側断面図である。
【図３】本発明に係る紙葉類識別装置用清掃具を示す概略図である。
【図４】紙葉類識別装置用清掃具の作用を示す概略図である。
【符号の説明】
【００４０】
１    紙葉類識別装置
２    進入センサ
３    紙葉類検知センサ
３１    着磁体
３２    磁気検出部
３３    ケース
４    進入検出部
５    磁気検出部駆動部
６    磁気検出回路
７    信号処理回路
１００    清掃具
１０１    基部
１０２    当接部材
Ｆ    付着物
Ｒ    搬送路
Ｒ１    投入口
Ｒ２    上流部
Ｒ３    下流部
Ｒ４    収納庫
Ｒ５，Ｒ６    搬送ローラ
Ｒ７，Ｒ８，Ｒ９    従動ローラ
Ｓ    搬送方向
Ｗ    紙葉類
【図１】
2008003678.tif 000003
【図２】
2008003678.tif 000004
【図３】
2008003678.tif 000005
【図４】
2008003678.tif 000006